(57)【特許請求の範囲】
【請求項１】
伝動チェーンに摺接する樹脂製シュー部材をチェーン走行案内本体部材に被嵌装着したチェーン走行案内装置において、
前記チェーン走行案内本体部材のチェーン走行方向出口端部に、前記伝動チェーンの摺動で樹脂製シュー部材のチェーン走行方向出口端部が当接して押圧するシュー端部受止め部を設けたことを特徴とするチェーン走行案内装置。
【発明の詳細な説明】
【０００１】
【発明の属する技術分野】
本発明は、駆動スプロケットと従動スプロケットとの間に無端懸回した伝動チェーンの張力を適正に保持する、あるいは、伝動チェーンの走行を規制するチェーン走行案内装置に関する。
【０００２】
【従来の技術】
従来、駆動スプロケットＤと従動スプロケットＦとの間に形成される伝動チェーンＣのフリースパン区間には、図５に示すように伝動チェーンＣの弛緩側にチェーン張力を適正に保持して走行案内するテンショナ装置Ｔが配設され、緊張側に伝動チェーンの走行を案内するガイド装置Ｇが配設されている。
【０００３】
前記テンショナ装置Ｔのテンショナレバー本体Ｌには、樹脂製シュー部材ＬＳが被嵌装着され、該樹脂製シュー部材ＬＳの両側には、複数の抱持片ＳＡが垂設されて前記テンショナレバー本体Ｌの両側突縁ＬＡを抱持し、該樹脂製シュー部材ＬＳがテンショナレバー本体Ｌの両側方に遊動することを防止し、また、樹脂製シュー部材ＬＳのチェーン走行方向入口端部には、テンショナレバー本体Ｌの肩部ＬＢに係止する折曲係止片ＳＢが設けられて、伝動チェーンの矢印方向の走行に随伴して樹脂製シュー部材ＬＳがチェーン走行方向に遊動しないように係合している。
なお、テンショナレバー本体Ｌは、固定取付軸Ａに揺動自在に軸支されている。
【０００４】
次に、前記ガイド装置Ｇは、取付孔ＧＡにボルトを挿通して固定された伝動チェーンの走行を規制するガイド本体ＧＢに樹脂製シュー部材ＧＳが被嵌装着されている。
そして、樹脂製シュー部材ＧＳの両側には、樹脂製シュー部材ＧＳが横方向に遊動しないようにガイド本体ＧＢの両側縁に凹設した切欠部に係止する係合片ＳＡ’が垂設され、該樹脂製シュー部材ＧＳのチェーン走行方向入口端部には、樹脂製シュー部材ＧＳが伝動チェーンの走行方向に随伴遊動しないように、ガイド本体ＧＢの端部に係合する折曲係止片ＳＢ’が設けられている。
【０００５】
【発明が解決しようとする課題】
上述の従来技術においては、テンショナレバー本体Ｌに被嵌装着した樹脂製シュー部材ＬＳおよびガイド本体ＧＢに被嵌装着した樹脂製シュー部材ＧＳが、いずれも、伝動チェーンの走行方向に随伴遊動しないように、前記テンショナレバー本体Ｌおよびガイド本体ＧＢに係止する折曲係止片ＳＢおよび折曲係止片ＳＢ’がそれぞれ設けられている。
【０００６】
したがって、前記折曲係止片ＳＢおよび折曲係止片ＳＢ’には、伝動チェーンＣの摺動摩擦抵抗によってチェーン走行方向に引張り力が負荷され、伝動チェーンの走行速度が増大すると、引張り力の負荷も増大して、前記折曲係止片ＳＢ，折曲係止片ＳＢ’の折損が発生し、また、樹脂製シュー部材ＬＳ，樹脂製シュー部材ＧＳの中央部分において抗張力の不足に起因する破断事故が発生するおそれがあった。
これらの折損又は破断は、一般の樹脂成形品の抗張力がきわめて小さいことに基づくものである。
【０００７】
【課題を解決するための手段】
そこで、本発明のチェーン走行案内装置は、上述した従来技術の課題を解決するものであって、すなわち、伝動チェーンに摺接する樹脂製シュー部材をチェーン走行案内本体部材に被嵌装着したチェーン走行案内装置において、前記チェーン走行案内本体部材のチェーン走行方向出口端部に、前記伝動チェーンの摺動で樹脂製シュー部材のチェーン走行方向出口端部が当接して押圧するシュー端部受止め部を設けたものである。
【０００８】
【作用】
樹脂製シュー部材は、伝動チェーンに摺接しているので、伝動チェーンとの摺動摩擦力により、伝動チェーンに随伴して伝動チェーンの走行方向に遊動付勢されるが、該樹脂製シュー部材が被嵌装着されているチェーン走行案内本体部材のチェーン走行出口側端部に、伝動チェーンの摺動で樹脂製シュー部材のチェーン走行方向出口端部が当接して押圧するシュー端部受止め部が設けられているので、樹脂製シュー部材に、伝動チェーンの摺動に伴うチェーン走行方向の圧縮力が作用して引張り力は負荷されない。
【０００９】
【実施例】
図１は、本発明であるチェーン走行案内装置の一実施例であって、テンショナ装置Ｔで伝動チェーンＣの弛み側フリースパン区間に押圧付勢されるチェーン走行案内本体部材であるテンショナレバー本体１には、樹脂製シュー部材２が被嵌装着されている。
そして、前記テンショナレバー本体１のチェーン走行方向出口端部には、前記樹脂製シュー部材２のチェーン走行方向出口端部２Ａが伝動チェーンＣの矢印方向の走行に随伴して遊動することを阻止するシュー端部受止め部１Ａが図２に示すように突設されている。
【００１０】
すなわち、図２（Ａ）は、樹脂製シュー部材２を被嵌したテンショナレバー本体１の正面図であり、同図（Ｂ）は、同図（Ａ）の底面図であり、同図（Ｃ）は、同図（Ａ）の２Ｃ−２Ｃ線断面図であり、同図（Ｄ）は、同図（Ａ）の２Ｄ−２Ｄ線断面図である。
そして、符号３は、取付軸Ａの軸孔であり、符号４は、テンショナ装置Ｔの押圧付勢ピストンロッドの押圧作用凸部である。
樹脂製シュー部材２の側面に設けた長方形の窓孔５には、テンショナレバー本体１の両側面に突出した突出ピン６が遊挿され、樹脂製シュー部材２がテンショナレバー本体１より浮き上ることを防止し、且つ、樹脂製シュー部材２とテンショナレバー本体１との材質差に基づく熱影響による相対的伸縮差を長方形窓孔内を突出ピンが遊動することにより吸収している。
【００１１】
図３は、ガイド装置Ｇのチェーン走行案内本体部材であるチェーン走行規制ガイド本体１１に樹脂製シュー部材１２を被嵌装着した実施例である。
樹脂製シュー部材１２のチェーン走行方向入口端部には、前記チェーン走行規制ガイド本体１１の始端を抱持するシュー部材浮上り防止抱持部１２Ｂを形成し、前記チェーン走行規制ガイド本体１１のチェーン走行方向出口端部には、前記伝動チェーンの摺動で樹脂製シュー部材１２のチェーン走行方向出口端部１２Ａに当接して押圧する折曲部を呈したシュー端部受止め部１１Ａが形成されている。
また、樹脂製シュー部材１２の両側縁には、樹脂製シュー部材１２の横方向の遊動を防止する係合片１２’が垂設されている。
【００１２】
図４（Ａ），（Ｂ），（Ｃ）は、本発明の他の実施例であるテンショナレバーであって、テンショナレバー本体２１のチェーン走行方向出口端部に、伝動チェーンの摺動で樹脂製シュー部材２２のチェーン走行方向出口端部２２Ａが当接して押圧するシュー端部受止め部２１Ａが突設された点で、図２の構成と差異がない。
そして、図２に示す樹脂製シュー部材２の断面形状は、下方に開口するコ字状であるが、図４に示す樹脂製シュー部材２２の断面形状は、側方に開口するコ字状を有し、テンショナレバー本体２１のチェーン走行方向入口端部近傍には、樹脂製シュー部材２２の裏面に突設した係止凹部２２Ｂが係入する凹部２１Ｂが凹設されて、樹脂製シュー部材２２がテンショナレバー本体２１に対してチェーン走行方向と反対方向に遊動することを防止している。
また、テンショナ装置Ｔの押圧付勢ピストンロッドの押圧作用凸部２３は、樹脂製シュー部材２２の側面を貫通してテンショナレバー本体２１に圧入したシュー部材浮上り防止ピン２３Ａの頭部に形成されている。
【００１３】
【発明の効果】
本発明のチェーン走行案内装置は、樹脂製シュー部材を被嵌装着したチェーン走行案内本体部材のチェーン走行方向出口端部に、伝動チェーンの摺動で樹脂製シュー部材のチェーン走行方向出口端部が当接して押圧するシュー端部受止め部が突設されているので、この樹脂製シュー部材が伝動チェーンの走行方向に随伴遊動しようとしても、シュー端部受止め部によって阻止される結果、樹脂製シュー部材にはチェーン走行方向の摺動摩擦力による圧縮負荷が作用するが、樹脂製シュー部材の材質である樹脂材は、抗張力よりも耐圧縮力が大であるので、チェーン走行による摺動摩擦力が増大して圧縮負荷が高くなっても、樹脂製シュー部材の折損、破断等のおそれがない。
したがって、樹脂製シュー部材の強度を大にするために肉厚を肥厚化させる必要もなく、また、機械的強度の大なる特殊な樹脂を選択する必要もないので、摺動特性のよい樹脂製シュー部材の製作がきわめて容易になるものである。
【図面の簡単な説明】
【図１】本発明の一実施例であるチェーン走行案内装置の正面図。
【図２】図１に示すチェーン走行案内装置の一実施例であるテンショナレバーであって、同図（Ａ）は、正面図であり、同図（Ｂ）は、同図（Ａ）の底面図であり、同図（Ｃ）は、同図（Ａ）の２Ｃ−２Ｃ線断面図であり、同図（Ｄ）は、同図（Ａ）の２Ｄ−２Ｄ線断面図。
【図３】図１に示すチェーン走行案内装置の一実施例であるガイド装置の正面図。
【図４】図１のテンショナレバーの他の実施例であって、同図（Ａ）は、正面図であり、同図（Ｂ）は、同図（Ａ）の４Ｂ−４Ｂ線断面図であり、同図（Ｃ）は、同図（Ａ）の４Ｃ−４Ｃ線断面図。
【図５】従来例の正面図。
【符号の説明】
１，２１              ・・・テンショナレバー本体
１１                  ・・・チェーン走行規制ガイド本体
１Ａ，１１Ａ，２１Ａ  ・・・シュー端部受止め部
２，１２，２２        ・・・樹脂製シュー部材
２Ａ，１２Ａ，２２Ａ  ・・・樹脂製シュー部材のチェーン走行方向出口シュー端部
【図１】
0003941977.tif 000002
【図２】
0003941977.tif 000003
【図３】
0003941977.tif 000004
【図４】
0003941977.tif 000005
【図５】
0003941977.tif 000006